(57)【要約】【課題】  調相設備が設けられている場合であっても、地絡方向継電器の動作確認を行えるようにする。【解決手段】  方向試験を選択する操作部６０と、操作部６０による選択に応じて、変流器の２次巻線１０１Ａ、１０１Ｂ、１０１Ｃのうち第１の相１０１Ａのみ、第２の相１０１Ｂのみ、第３の相１０１Ｃのみ、または、第１の相１０１Ａと第２の相１０１Ｂ、第３の相１０１Ｃと第１の相１０１Ａ、第２の相１０１Ｂと第３の相１０１Ｃを、摺動抵抗器１８０に接続する切替回路１０と、を備える。【選択図】  図１
2015220834.tif 000002
【特許請求の範囲】
【請求項１】
変流器の３次巻線を結線した３次回路を用いて地絡による故障発生と故障発生方向とを判定する地絡方向継電器の試験を、前記変流器の２次巻線を用いて行う地絡方向継電器用実負荷方向試験装置であって、
方向試験を選択する操作部と、
前記操作部による選択に応じて、前記変流器の２次巻線の第１の相のみ、第２の相のみ、第３の相のみ、または、第１の相と第２の相、第３の相と第１の相、第２の相と第３の相を、抵抗器に接続する切替部と、
を備えることを特徴とする地絡方向継電器用実負荷方向試験装置。
【発明の詳細な説明】
【技術分野】
【０００１】
この発明は、地絡方向継電器の機能を確認する際に用いられる地絡方向継電器用実負荷方向試験装置に関する。
【背景技術】
【０００２】
地絡方向継電器は、例えば、変電所などに設置され、送電線の事故発生時に、故障箇所を迅速に切り離すことにより、系統への事故波及や供給支障、送電設備の損傷などを防ぐものである。こうした保護継電器の機能が十分に発揮されるには、ＰＴ回路やＣＴ回路、遮断信号などが確実に接続されていなければならない。このため、保護継電器の新設時や取り替え時、あるいは遮断器の取り替え時などには、確認試験を行って保護機能が確実に動作することを確認する必要がある。そして、確認試験を行う際には、送電線の実潮流による確認作業、つまり実際に送電した状態で確認作業が行われる。
【０００３】
このような確認試験を行うには、従来、作業者がその都度、結線して実負荷試験を行う必要があり、人為的ミスが生じるおそれがあった。このため、試験を簡単に行うことを可能にし、また、装置の軽量化を可能にする地絡方向継電器用実負荷方向試験装置が知られている（例えば、特許文献１参照。）。この装置は、送電側故障と受電側故障との判別をするための方向試験を、ハンドルの位置により切り換える操作部と、変流器の各２次巻線を短絡状態にし、操作部のハンドルの位置に応じて、変流器の各２次巻線を選択して抵抗器に接続する切換え部とを備え、切換え部は、操作部のハンドルが操作されると、変流器の各２次巻線を選択して抵抗器に接続した後で選択した２次巻線の短絡状態を解除するものである。
【先行技術文献】
【特許文献】
【０００４】
【特許文献１】特開２００８−１７２９６４号公報
【発明の概要】
【発明が解決しようとする課題】
【０００５】
ところで、電力用コンデンサ（ＳＣ）や分路リアクトル（ＳｈＲ）などの調相設備（無効電力を吸収・発生して電圧を一定に保つための設備）が設けられている場合、図２７に示すように、負荷電流の位相が９０°ずれる。そして、上記特許文献１の装置では、送電側（Ｒ相）と受電側（ＳＴ相）のみ零相電流Ｉ０を模擬発生させているため、図示のように、負荷電流が地絡方向継電器（６７Ｇ）の動作域外となり、地絡方向継電器の動作確認を行うことができない。
【０００６】
そこで、この発明は、調相設備が設けられている場合であっても、地絡方向継電器の動作確認を行うことが可能な地絡方向継電器用実負荷方向試験装置を提供することを目的とする。
【課題を解決するための手段】
【０００７】
上記課題を解決するために、請求項１の発明は、変流器の３次巻線を結線した３次回路を用いて地絡による故障発生と故障発生方向とを判定する地絡方向継電器の試験を、前記変流器の２次巻線を用いて行う地絡方向継電器用実負荷方向試験装置であって、方向試験を選択する操作部と、前記操作部による選択に応じて、前記変流器の２次巻線の第１の相のみ、第２の相のみ、第３の相のみ、または、第１の相と第２の相、第３の相と第１の相、第２の相と第３の相を、抵抗器に接続する切替部と、を備えることを特徴とする。
【０００８】
この発明によれば、操作部によって方向試験・相を選択すると、選択に応じて切替部によって、第１の相のみ、第２の相のみ、第３の相のみ、または、第１の相と第２の相、第３の相と第１の相、第２の相と第３の相が抵抗器に接続される。
【発明の効果】
【０００９】
請求項１の発明によれば、操作部による選択に応じて変流器の２次巻線が抵抗器に接続されるため、変流器の３次回路に零相電流が発生し、地絡方向継電器を試験することができる。このとき、変流器の２次巻線の各相をそれぞれ単独で抵抗器に接続したり、２つの相を同時に抵抗器に接続したりして、すべての相で零相電流を模擬発生させることができる。このため、調相設備が設けられている場合であっても、無効電力負荷での地絡方向継電器の動作確認を行うことができる。また、操作部で方向試験・相を選択するだけで位相を変えることができるため、地絡方向継電器の試験を容易かつ短時間に行うことが可能となる。
【図面の簡単な説明】
【００１０】
【図１】この発明の実施の形態１におけるＣＴ３次回路使用時の地絡方向継電器用実負荷方向試験装置を示す概略構成図である。
【図２】図１の装置の操作部を示す図である。
【図３】図１の装置の切替回路の切替えスイッチを示す図である。
【図４】図３の切替えスイッチにおける接点の種類を示す図である。
【図５】図３の切替えスイッチで「平常」の状態を示す図である。
【図６】図５の状態での電流の流れを示す図である。
【図７】図３の切替えスイッチで「Ｒ」の状態を示す図である。
【図８】図７の状態での電流の流れを示す図である。
【図９】図３の切替えスイッチで「Ｓ」の状態を示す図である。
【図１０】図９の状態での電流の流れを示す図である。
【図１１】図３の切替えスイッチで「Ｔ」の状態を示す図である。
【図１２】図１１の状態での電流の流れを示す図である。
【図１３】図１２に続く「平常」の状態での電流の流れを示す図である。
【図１４】図３の切替えスイッチで「Ｒ−Ｓ」の状態での電流の流れを示す図である。
【図１５】図３の切替えスイッチで「Ｔ−Ｒ」の状態での電流の流れを示す図である。
【図１６】図３の切替えスイッチで「Ｓ−Ｔ」の状態での電流の流れを示す図である。
【図１７】図１の装置でＳＣ負荷時の模擬発生させたＳ相およびＲＳ相の零相電流と、地絡方向継電器の動作域との関係を示す図である。
【図１８】この発明の実施の形態２におけるＣＴ２次残留回路使用時の地絡方向継電器用実負荷方向試験装置を示す概略構成図である。
【図１９】３次回路使用時の実負荷試験時におけるＩ０発生方法を示す概略図であり、Ｒ相に模擬Ｉ０を発生させる状態の図である。
【図２０】３次回路使用時の実負荷試験時におけるＩ０発生方法を示す概略図であり、Ｓ相に模擬Ｉ０を発生させる状態の図である。
【図２１】３次回路使用時の実負荷試験時におけるＩ０発生方法を示す概略図であり、Ｔ相に模擬Ｉ０を発生させる状態の図である。
【図２２】３次回路使用時の実負荷試験時におけるＩ０発生方法を示す概略図であり、ＳＴ相に模擬Ｉ０を発生させる状態の図である。
【図２３】２次残留回路使用時の実負荷試験時におけるＩ０発生方法を示す概略図であり、Ｒ相に模擬Ｉ０を発生させる状態の図である。
【図２４】２次残留回路使用時の実負荷試験時におけるＩ０発生方法を示す概略図であり、Ｓ相に模擬Ｉ０を発生させる状態の図である。
【図２５】２次残留回路使用時の実負荷試験時におけるＩ０発生方法を示す概略図であり、Ｔ相に模擬Ｉ０を発生させる状態の図である。
【図２６】２次残留回路使用時の実負荷試験時におけるＩ０発生方法を示す概略図であり、ＳＴ相に模擬Ｉ０を発生させる図状態のである。
【図２７】ＳＣ負荷での従来におけるＲ相およびＳＴ相の零相電流と、地絡方向継電器の動作域との関係を示す図である。
【発明を実施するための形態】
【００１１】
以下、この発明を図示の実施の形態に基づいて説明する。
【００１２】
（実施の形態１）
図１は、この発明の実施の形態に係る地絡方向継電器用実負荷方向試験装置（以下、「実負荷方向試験装置」という）１を示す概略構成図である。この実施の形態では、変流器の３次巻線２０１Ａ、２０１Ｂ、２０１Ｃを接続して形成される３次回路２０１には、零相電圧と零相電流とを用いて地絡発生および地絡発生方向を検出する保護装置（地絡方向継電器）１４０と、零相電流およびその位相を検出する計測器１５０とが接続されている。そして、変流器の２次巻線１０１Ａ、１０１Ｂ、１０１Ｃを選択して摺動抵抗器（抵抗器）１８０に接続することで、故障時に生じる零相電流を３次回路２０１に発生させて、図１９〜図２２に示すような、保護装置１４０の方向試験を行う。
【００１３】
実負荷方向試験装置１は、主として、図２に示す操作部６０と、切替部としての切替回路１０と、入力側の赤相（第１の相）用のＲ端子１２Ａ、白相（第２の相）用のＳ端子１２Ｂ、青相（第３の相）用のＴ端子１２Ｃ、中性相用のＮ端子１２Ｄ、アース端子１２Ｅ、出力側の赤相用のＲ端子１３Ａ、白相用のＳ端子１３Ｂ、青相用のＴ端子１３Ｃ、中性相用のＮ端子１３Ｄ、計測器接続端子である±端子１３Ｅ、零相電流用端子であるＩ０端子１３Ｆを有している。
【００１４】
Ｒ端子１２Ａは、後述するＣＴ２次プラグ３０の入力端子１４Ａと接続線Ｒ１１を介して接続されており、切替回路１０によってＲ相（第１の相）を摺動抵抗器１８０に接続したり、欠相にしたり接続を切り替え可能となっている。
【００１５】
Ｓ端子１２Ｂは、後述するＣＴ２次プラグ２０の入力端子１４Ｂと接続線Ｒ１２を介して接続されており、切替回路１０によってＳ相（第２の相）を摺動抵抗器１８０に接続したり、欠相にしたり接続を切り替え可能となっている。
【００１６】
Ｔ端子１２Ｃは、ＣＴ２次プラグ３０の入力端子１４Ｃと接続線Ｒ１３を介して接続されており、切替回路１０によってＴ相（第３の相）を摺動抵抗器１８０に接続したり、欠相にしたり接続を切り替え可能となっている。
【００１７】
Ｎ端子１２Ｄは、ＣＴ２次プラグ３０の入力端子１４Ｄと接続線Ｒ１４を介して接続されており、切替回路１０によってＮ相（中性相）を他の相に接続したり、切り替えたりすることが可能となっている。
【００１８】
Ｅ端子１２Ｅは、Ｎ端子１２Ｄと接続されている。
【００１９】
Ｒ端子１３Ａは、切替回路１０の出力と、ＣＴ２次プラグ３０の出力端子１５Ａを接続線Ｒ２１を介して接続可能となっている。
【００２０】
Ｓ端子１３Ｂは、切替回路１０の出力と、ＣＴ２次プラグ２０の出力端子１５Ｂを接続線Ｒ２２を介して接続可能となっている。
【００２１】
Ｔ端子１３Ｃは、切替回路１０の出力と、ＣＴ２次プラグ３０の出力端子１５Ｃを接続線Ｒ２３を介して接続可能となっている。
【００２２】
Ｎ端子１３Ｄは、切替回路１０の出力と、ＣＴ２次プラグ３０の出力端子１５Ｄを接続線Ｒ２４を介して接続可能となっている。
【００２３】
±端子１３Ｅは、Ｉ０端子１３Ｆと接続線Ｒ２５を介して接続されており、ＣＴ３次使用時には短絡して使用する。
【００２４】
切替回路１０には、保護装置１４０の動作確認に際して電流を調整する摺動抵抗器１８０が接続される。この切替回路１０によって、２次回路１０１に対する摺動抵抗器１８０の接続を切り換えて２次回路１０１の１相または２相を欠相にして、３次回路２０１に発生する零相電流の位相を切り換えることができる。また、位相を切り換える際に、２次回路１０１の２次巻線１０１Ａ〜１０１Ｃを開放することを防ぐようになっている。具体的な構成、動作については、後述する。
【００２５】
ＣＴ２次プラグ２０は、入力端子１４Ｂと、出力端子１５Ｂを有している。入力端子１４Ｂは、２次巻線１０１Ｂと、接続線Ｒ１２を介してＳ端子１２Ｂに接続されている。出力端子１５Ｂは、計測装置１２０と、接続線Ｒ２２を介してＳ端子１３Ｂに接続されている。
【００２６】
ＣＴ２次プラグ３０は、入力端子１４Ａ、１４Ｃ、１４Ｄと、出力端子１５Ａ、１５Ｃ、１５Ｄを有している。入力端子１４Ａは、２次巻線１０１Ａと、接続線Ｒ１１を介してＲ端子１２Ａに接続されている。入力端子１４Ｃは、２次巻線１０１Ｃと、接続線Ｒ１３を介してＴ端子１２Ｃに接続されている。入力端子１４Ｄは、２次巻線１０１と、接続線Ｒ１４を介してＮ端子１２Ｄに接続されている。出力端子１５Ａは、計測装置１３０と、接続線Ｒ２１を介してＲ端子１３Ａに接続されている。出力端子１５Ｃは、計測装置１３０と、接続線Ｒ２３を介してＴ端子１３Ｃに接続されている。出力端子１５Ｄは、計測装置１３０と、接続線Ｒ２４を介してＮ端子１３Ｄに接続されている。
【００２７】
操作部６０は、方向試験（零相電流を模擬発生させる相）を選択するものであり、切替回路１０などを収容した筐体の表面に配設され、図２に示すように、切換えハンドル６１を備えている。この切換えハンドル６１は、保護装置１４０の機能を確認する作業を行う作業者によって操作されるものであり、軸６１ａを中心に回り、時計回りに「平常」、「Ｒ」、「Ｓ」、「Ｔ」、「平常」、「Ｒ−Ｓ」、「Ｔ−Ｒ」、「Ｓ−Ｔ」と示された位置（各方向試験）で仮停止するようになっている。また、切換えハンドル６１には、指示マーク６２が記され、この指示マーク６２と対応する方向試験が選択された方向試験・相となる。このような切換えハンドル６１は、切替回路１０に連結されている。
【００２８】
切替回路１０は、変流器の各２次巻線１０１Ａ、１０１Ｂ、１０１Ｃを短絡状態にし、操作部６０による選択に応じて、変流器の２次巻線１０１Ａ、１０１Ｂ、１０１Ｃのうち、赤相１０１Ａのみを、または白相１０１Ｂのみを、または青相１０１Ｃのみを、または赤相１０１Ａと白相１０１Ｂを、または青相１０１Ｃと赤相１０１Ａを、または白相１０１Ｂと青相１０１Ｃを、摺動抵抗器１８０に接続する回路である。また、切替回路１０は、変流器の各２次巻線１０１Ａ、１０１Ｂ、１０１Ｃを選択して摺動抵抗器１８０に接続した後で、選択した２次巻線１０１Ａ、１０１Ｂ、１０１Ｃの短絡状態を解除するようになっている。
【００２９】
具体的には、図３に示すような切替えスイッチ１０Ａを備え、この切替えスイッチ１０Ａは切換えハンドル６１の操作により回転する。すなわち、「平常」、「Ｒ−Ｓ」、「Ｔ−Ｒ」、「Ｓ−Ｔ」、「平常」、「Ｒ」、「Ｓ」、「Ｔ」の位置でオーバーラップ接点Ｐ１〜Ｐ３３を備え、端子Ｓ１１と端子Ｓ１２との間、端子Ｓ２１と端子Ｓ２２との間、…、端子Ｓ１２３と端子Ｓ１２４との間の開閉を制御する制御用のカムスイッチである。ここで、オーバーラップ接点Ｐ１〜Ｐ３３は、重なり接触を可能とする接点（重なり接触接点）であり、図４に示す接点Ｃ１は、ノッチ位置でＯＮする接点であり、接点Ｃ２は、ノッチ間もＯＮする接点であり、接点Ｃ３は、ノッチ間で片方の接点が切れる前に次の接点がＯＮするラップ接点である。
【００３０】
そして、図５に示すように、切換えハンドル６１が「平常」の位置であると、オーバーラップ接点Ｐ１がオンになって端子Ｓ１１と端子Ｓ１２、つまり、Ｒ端子１２ＡとＲ端子１３Ａとが電気的に接続される。同様に、オーバーラップ接点Ｐ１７がオンになってＳ端子１２ＢとＳ端子１３Ｂとが電気的に接続され、オーバーラップ接点Ｐ６がオンになってＴ端子１２ＣとＴ端子１３Ｃとが電気的に接続される。この結果、図６に示すように、Ｒ端子１２Ａ、Ｓ端子１２ＢおよびＴ端子１２Ｃからそれぞれ、Ｒ端子１３Ａ、Ｓ端子１３ＢおよびＴ端子１３Ｃに電流が流れ、摺動抵抗器１８０には電流が流れない状態になる。
【００３１】
次に、図７に示すように、切換えハンドル６１を時計回りに回して切換えハンドル６１が「Ｒ」の位置であると、オーバーラップ接点Ｐ４がオンになって端子Ｓ１１と端子Ｓ１２、つまり、Ｒ端子１２ＡとＲ端子１３Ａとが電気的に接続されると共に、オーバーラップ接点Ｐ１６がオンになってＲ端子１２Ａと摺動抵抗器１８０とが電気的に接続される。一方、オーバーラップ接点Ｐ２６、２９がオンになってＳ端子１２ＢとＴ端子１２ＣとがＮ端子１２Ｄ（アース端子１２Ｅ、Ｉ０端子１３Ｆ）に接続される。この結果、図８に示すように、Ｒ端子１２Ａからの電流（赤相１０１Ａ）がＲ端子１３Ａと摺動抵抗器１８０とに流れるようになる。
【００３２】
同様に、図９に示すように、切換えハンドル６１が「Ｓ」の位置であると、オーバーラップ接点Ｐ２１がオンになってＳ端子１２ＢとＳ端子１３Ｂとが電気的に接続されると共に、オーバーラップ接点Ｐ２５がオンになってＳ端子１２Ｂと摺動抵抗器１８０とが電気的に接続される。一方、オーバーラップ接点Ｐ１３、３０がオンになってＲ端子１２ＡとＴ端子１２ＣとがＮ端子１２Ｄに接続される。この結果、図１０に示すように、Ｓ端子１２Ｂからの電流（白相１０１Ｂ）がＳ端子１３Ｂと摺動抵抗器１８０とに流れるようになる。
【００３３】
また、図１１に示すように、切換えハンドル６１が「Ｔ」の位置であると、オーバーラップ接点Ｐ１０がオンになってＴ端子１２ＣとＴ端子１３Ｃとが電気的に接続されると共に、オーバーラップ接点Ｐ３３がオンになってＴ端子１２Ｃと摺動抵抗器１８０とが電気的に接続される。一方、オーバーラップ接点Ｐ１２、２３がオンになってＲ端子１２ＡとＳ端子１２ＢとがＮ端子１２Ｄに接続される。この結果、図１２に示すように、Ｔ端子１２Ｃからの電流（青相１０１Ｃ）がＴ端子１３Ｃと摺動抵抗器１８０とに流れるようになる。
【００３４】
続いて、図１３に示すように、切換えハンドル６１が「平常」の位置であると、上記図５、図６の「平常」の場合と同様に、Ｒ端子１２Ａ、Ｓ端子１２ＢおよびＴ端子１２Ｃからそれぞれ、Ｒ端子１３Ａ、Ｓ端子１３ＢおよびＴ端子１３Ｃに電流が流れ、摺動抵抗器１８０には電流が流れないようになる。
【００３５】
次に、切換えハンドル６１が「Ｒ−Ｓ」の位置であると、オーバーラップ接点Ｐ２、Ｐ１５がオンになってＲ端子１２ＡとＲ端子１３Ａとが電気的に接続されると共に、Ｒ端子１２Ａと摺動抵抗器１８０とが電気的に接続される。また、オーバーラップ接点Ｐ１８、Ｐ２７がオンになってＳ端子１２ＢとＳ端子１３Ｂとが電気的に接続されると共に、Ｓ端子１２Ｂと摺動抵抗器１８０とが電気的に接続される。一方、オーバーラップ接点Ｐ２８がオンになってＴ端子１２ＣがＮ端子１２Ｄに接続される。この結果、図１４に示すように、Ｒ端子１２ＡおよびＳ端子１２Ｂからの電流（赤相１０１Ａと白相１０１Ｂ）がそれぞれ、Ｒ端子１３ＡおよびＳ端子１３Ｂに流れると共に、摺動抵抗器１８０に流れるようになる。
【００３６】
同様に、切換えハンドル６１が「Ｔ−Ｒ」の位置であると、オーバーラップ接点Ｐ３、Ｐ１４がオンになってＲ端子１２ＡとＲ端子１３Ａとが電気的に接続されると共に、Ｒ端子１２Ａと摺動抵抗器１８０とが電気的に接続される。また、オーバーラップ接点Ｐ７、Ｐ３１がオンになってＴ端子１２ＣとＴ端子１３Ｃとが電気的に接続されると共に、Ｔ端子１２Ｃと摺動抵抗器１８０とが電気的に接続される。一方、オーバーラップ接点Ｐ２２がオンになってＳ端子１２ＢがＮ端子１２Ｄに接続される。この結果、図１５に示すように、Ｒ端子１２ＡおよびＴ端子１２Ｃからの電流（赤相１０１Ａと青相１０１Ｃ）がそれぞれ、Ｒ端子１３ＡおよびＴ端子１３Ｃに流れると共に、摺動抵抗器１８０に流れるようになる。
【００３７】
また、切換えハンドル６１が「Ｓ−Ｔ」の位置であると、オーバーラップ接点Ｐ１９、Ｐ２４がオンになってＳ端子１２ＢとＳ端子１３Ｂとが電気的に接続されると共に、Ｓ端子１２Ｂと摺動抵抗器１８０とが電気的に接続される。また、オーバーラップ接点Ｐ８、Ｐ３２がオンになってＴ端子１２ＣとＴ端子１３Ｃとが電気的に接続されると共に、Ｔ端子１２Ｃと摺動抵抗器１８０とが電気的に接続される。一方、オーバーラップ接点Ｐ１１がオンになってＲ端子１２ＡがＮ端子１２Ｄに接続される。この結果、図１６に示すように、Ｓ端子１２ＢおよびＴ端子１２Ｃからの電流（白相１０１Ｂと青相１０１Ｃ）がそれぞれ、Ｓ端子１３ＢおよびＴ端子１３Ｃに流れると共に、摺動抵抗器１８０に流れるようになる。
【００３８】
次に、３次回路の使用時における、実負荷方向試験装置１を使用した保護装置１４０の試験方法および作用について説明する。
【００３９】
まず、保護装置１４０の機能確認として方向試験をするために、作業者によって、ＣＴ２次プラグ２０を介してＳ端子１２Ｂと、ＣＴ２次プラグ３０を介してＲ端子１２Ａ、Ｔ端子１２Ｃを用いて、実負荷方向試験装置１が変流器の２次回路１０１に接続され、ＣＴ２次プラグ２０を介してＳ端子１３Ｂに計測装置１２０が接続され、ＣＴ２次プラグ３０を介してＲ端子１３Ａ、Ｔ端子１３Ｃに計測装置１３０が接続される。つまり、ＣＴ２次プラグ２０は、計測装置１２０に接続され、ＣＴ２次プラグ３０は、計測装置１３０に接続される。
【００４０】
また、３次回路には、保護装置１４０が接続されており、保護装置１４０には、計測器１５０が接続されている。そして、実負荷方向試験装置１の±端子１３ＥとＩ０端子１３Ｆは、接続線Ｒ２５を介して接続されて、短絡した状態で使用する。
【００４１】
このような状態で、操作部６０の切換えハンドル６１を回して方向試験を選択すると、上記のようにして切替回路１０によって、摺動抵抗器１８０に対する各２次巻線１０１Ａ、１０１Ｂ、１０１Ｃの接続が切り換えられ、２次回路１０１の１相または２相が欠相にされて、３次回路２０１に発生する零相電流の位相が切り換えられる。すなわち、２次巻線１０１Ａ、１０１Ｂ、１０１Ｃのうち、赤相１０１Ａのみが、または白相１０１Ｂのみが、または青相１０１Ｃのみが、または赤相１０１Ａと白相１０１Ｂが、または青相１０１Ｃと赤相１０１Ａが、または白相１０１Ｂと青相１０１Ｃが、摺動抵抗器１８０に接続される。また、位相を切り換える際には、２次回路１０１の２次巻線１０１Ａ、１０１Ｂ、１０１Ｃの開放が防止される。
【００４２】
このように実負荷方向試験装置１を使用して、３次回路の使用時における零相回路の確認試験が行われる。
【００４３】
以上のように、この実負荷方向試験装置１によれば、操作部６０による選択に応じて変流器の２次巻線１０１Ａ、１０１Ｂ、１０１Ｃが摺動抵抗器１８０に接続されるため、変流器の３次回路に零相電流が発生し、保護装置１４０を試験することができる。このとき、変流器の２次巻線の各相１０１Ａ、１０１Ｂ、１０１Ｃをそれぞれ単独で摺動抵抗器１８０に接続したり、２つの相１０１Ａ、１０１Ｂ、１０１Ｃを同時に摺動抵抗器１８０に接続したりして、すべての相（Ｒ相、Ｓ相、Ｔ相、ＲＳ相、ＴＲ相、ＳＴ相）で零相電流を模擬発生させることができる。このため、調相設備が設けられている場合であっても、無効電力負荷での保護装置１４０の動作確認を行うことができる。つまり、例えば、図１７に示すように、保護装置１４０（６７Ｇ）の動作域内でＳ相やＲＳ相の零相電流を模擬発生させて、保護装置１４０の動作確認を行うことができる。この結果、電力用コンデンサや分路リアクトルなどの調相設備の方向試験も行うことが可能となる。
【００４４】
また、切替回路１０で変流器の各２次巻１０１Ａ、１０１Ｂ、１０１Ｃを選択して摺動抵抗器１８０に接続した後で、選択した２次巻線１０１Ａ、１０１Ｂ、１０１Ｃの短絡状態を解除するため、欠相状態を変更する際に、つまり零相電流の位相を変える際に、各２次巻線１０１Ａ、１０１Ｂ、１０１Ｃが開放されることを防ぐことができる。さらに、変流器の接続時に切換えハンドル６１を「平常」にすることで、２次回路１０１が通過状態となるため、各相１０１Ａ、１０１Ｂ、１０１Ｃごとに分割された回路でも安全に接続することができる。
【００４５】
また、操作部６０で方向試験を選択するだけで位相を変えることができるため、保護装置１４０の試験を容易かつ短時間に行うことが可能となる。さらに、操作部６０や切替回路１０が１組のみであるため、実負荷方向試験装置１の軽量化、小型化が可能となる。
【００４６】
（実施の形態２）
図１８は、この発明の実施の形態２を示している。この実施の形態では、３つの変流器の２次巻線１０３、１０４、１０５を選択して保護装置（地絡方向継電器）１６０に接続することにより、零相電流を保護装置１６０に与え、図２３〜図２６に示すような、２次残留回路を用いた保護装置１６０の試験を行う。ここで、実施の形態１と同等の構成については、同一符号又は対応する符号を付することで、その説明を省略する。
【００４７】
実負荷方向試験装置１は、入力側の各端子１２Ａ、１２Ｂ、１２Ｃ、１２Ｄと、出力側の各端子１３Ａ、１３Ｂ、１３Ｃ、１３Ｄが、それぞれ接続線Ｒ１１、Ｒ１２、Ｒ１３、Ｒ１４、Ｒ２１、Ｒ２２、Ｒ２３、Ｒ２４を介してＣＴ２次プラグ５０に接続されている。
【００４８】
ＣＴ２次プラグ５０は、入力端子１４Ａ、１４Ｂ、１４Ｃ、１４Ｄと、出力端子１５Ａ、１５Ｂ、１５Ｃ、１５Ｄを有している。入力端子１４Ａは、２次巻線１０３と、接続線Ｒ１１を介してＲ端子１２Ａに接続されている。入力端子１４Ｂは、２次巻線１０４と、接続線Ｒ１２を介してＳ端子１２Ｂに接続されている。入力端子１４Ｃは、２次巻線１０５と、接続線Ｒ１３を介してＴ端子１２Ｃに接続されている。入力端子１４Ｄは、２次巻線１０２と、接続線Ｒ１４を介してＮ端子１２Ｄに接続されている。出力端子１５Ａ、１５Ｂ、１５Ｃ、１５Ｄは、保護装置１６０と、接続線Ｒ２１、Ｒ２２、Ｒ２３、Ｒ２４を介してＲ端子１３Ａ、Ｓ端子１３Ｂ、Ｔ端子１３Ｃ、Ｎ端子１３Ｄに接続されている。
【００４９】
そして、ＣＴ２次プラグ５０には、保護装置１６０が接続されている。また、実負荷方向試験装置１の±端子１３ＥとＩ０端子１３Ｆの間に計測器１７０が接続される。
【００５０】
このような状態で、操作部６０の切換えハンドル６１を回して方向試験を選択すると、上記のようにして切替回路１０によって、２次回路１０２の２次巻線１０３、１０４、１０５の保護装置１６０に対する接続が切り換えられ、保護装置１６０に１相または２相の２次電流が流れ、保護装置１６０の動作方向が切り換えられる。このように実負荷方向試験装置１を使用して、２次残留回路の使用時における零相回路の確認試験が行われる。
【００５１】
以上のように、この実負荷方向試験装置１によれば、３次回路の使用時（実施の形態１）、２次残留回路の使用時（実施の形態２）のいずれの場合であっても、保護装置１４０や保護装置１６０の試験を行うことができる。すなわち、一つの実負荷方向試験装置１で、３次回路と２次残留回路のいずれであっても、保護装置の試験を行うことができる。そして、一つの実負荷方向試験装置１で何れの場合であっても試験を行うことができるため、試験前に、試験対象について３次回路が使用されているのか、２次残留回路が使用されているのかを確認する必要がなくなる。
【００５２】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態１では、２つのＣＴ２次プラグ２０、３０を使用するようにして説明したが、実施の形態２と同様に１つのＣＴ２次プラグ５０でもよいことはもちろんである。
【符号の説明】
【００５３】
１      実負荷方向試験装置（地絡方向継電器用実負荷方向試験装置）
１０    切替回路（切替部）
１０Ａ  切替えスイッチ
１２Ａ  Ｒ端子（第１の相用の入力側Ｒ端子、赤相用の入力側Ｒ端子）
１２Ｂ  Ｓ端子（第２の相用の入力側Ｓ端子、白相用の入力側Ｓ端子）
１２Ｃ  Ｔ端子（第３の相用の入力側Ｔ端子、青相用の入力側Ｔ端子）
１２Ｄ  Ｎ端子（第４の相用の入力側Ｎ端子、中性相用の入力側Ｎ端子）
１３Ａ  Ｒ端子（第１の相用の出力側Ｒ端子、赤相用の出力側Ｒ端子）
１３Ｂ  Ｓ端子（第２の相用の出力側Ｓ端子、白相用の出力側Ｓ端子）
１３Ｃ  Ｔ端子（第３の相用の出力側Ｔ端子、青相用の出力側Ｔ端子）
１３Ｄ  Ｎ端子（第４の相用の出力側Ｎ端子、中性相用の出力側Ｎ端子）
１３Ｅ  ±端子（計測器接続端子）
１３Ｆ  Ｉ０端子（零相電流用端子）
２０    ＣＴ２次プラグ
３０    ＣＴ２次プラグ
５０    ＣＴ２次プラグ
６０    操作部
１２０  計測装置
１３０  計測装置
１４０  保護装置
１５０  計測器
１６０  保護装置
１７０  計測器
１８０  摺動抵抗器（抵抗器）
１０１  ２次回路
２０１  ３次回路
１０２  ２次回路
【図１】
2015220834.tif 000003
【図２】
2015220834.tif 000004
【図３】
2015220834.tif 000005
【図４】
2015220834.tif 000006
【図５】
2015220834.tif 000007
【図６】
2015220834.tif 000008
【図７】
2015220834.tif 000009
【図８】
2015220834.tif 000010
【図９】
2015220834.tif 000011
【図１０】
2015220834.tif 000012
【図１１】
2015220834.tif 000013
【図１２】
2015220834.tif 000014
【図１３】
2015220834.tif 000015
【図１４】
2015220834.tif 000016
【図１５】
2015220834.tif 000017
【図１６】
2015220834.tif 000018
【図１７】
2015220834.tif 000019
【図１８】
2015220834.tif 000020
【図１９】
2015220834.tif 000021
【図２０】
2015220834.tif 000022
【図２１】
2015220834.tif 000023
【図２２】
2015220834.tif 000024
【図２３】
2015220834.tif 000025
【図２４】
2015220834.tif 000026
【図２５】
2015220834.tif 000027
【図２６】
2015220834.tif 000028
【図２７】
2015220834.tif 000029